(57)【要約】【課題】携帯型情報端末を座席前方のフロント操作部側に位置決め支持させる位置決め支持手段を備え、該帯型情報端末の視認性を向上させた作業車両の操縦部であって、汎用性の高い位置決め支持手段を、低コストで、設けることができる作業車両の操縦部を提供することを課題とする。【解決手段】前記位置決め支持手段２２は、前方斜め上方に傾いた携帯型情報端末２１の後端側を下支えするように上記フロント操作部１１から一体的に立上げ形成された後方側受け部２２ｂと、該後方側受け部２２ｂに下支えされて後方斜め下方に傾いた携帯型情報端末２１の下面を受止める載置面２２ｃ又は前方側受け部２２ａとを有する。【選択図】図２
2017112948.tif 000002
【特許請求の範囲】
【請求項１】
携帯型情報端末（２１）を座席の前方に配置されたフロント操作部（１１）側に位置決め支持させる位置決め支持手段（２２）を備えた作業車両の操縦部であって、前記位置決め支持手段（２２）は、上記フロント操作部（１１）に一体的に形成されて後方斜め下方に傾斜した載置面（２２ｃ）と、前記載置面（２２ｃ）に平置きされた携帯型情報端末（２１）の後端側を下支えするように上記フロント操作部（１１）における該載置面（２２ｃ）の後方位置から一体的に立上げ形成された後方側受け部（２２ｂ）とを有する作業車両の操縦部。
【請求項２】
携帯型情報端末（２１）を座席の前方に配置されたフロント操作部（１１）側に位置決め支持させる位置決め支持手段（２２）を備えた作業車両の操縦部であって、前記位置決め支持手段（２２）は、上記フロント操作部（１１）から一体的に立上げ形成され且つ上記携帯型情報端末（２１）をその前方側から受止めて支持する前方側受け部（２２ａ）と、該前方側受け部（２２ａ）に下面側が支持されて前方斜め上方に傾いた起立姿勢の上記携帯型情報端末（２１）の後端側を下支えするように、上記フロント操作部（１１）における前方側受け部（２２ａ）の後方位置から一体的に立上げ形成された後方側受け部（２２ｂ）とを有する作業車両の操縦部。
【請求項３】
前記位置決め支持手段（２２）は、フロント操作部（１１）に設置されたモニタ（１７）の近傍に配置された請求項１又は２の何れかに記載の作業車両の操縦部。
【発明の詳細な説明】
【技術分野】
【０００１】
この発明は、コンバインその他の作業車両の操縦部に関する。
【背景技術】
【０００２】
携帯型情報端末を位置決め支持させる位置決め支持手段を備えた作業車両の操縦部が従来公知である。特に、この位置決め支持手段によって、携帯型情報端末を、座席の前方に配置されたフロント操作部側に位置決めし、該携帯型情報端末の視認性を高めた作業車両の操縦部が開発され、公知になっている（例えば、特許文献１を参照。）。
【先行技術文献】
【特許文献】
【０００３】
【特許文献１】特開２００４−２８３１２９号公報
【発明の概要】
【発明が解決しようとする課題】
【０００４】
しかし、上記文献の作業車両の操縦部は、起立した携帯型情報端末の下部周囲をホールドして支持するホルダを、フロント操作部とは別体で設け、このホルダによって、位置決め支持手段を構成しているため、部品点数が多くなり、製造コストが高くなるとともに、ホルダが携帯型情報端末の下部周囲の形状毎に用意される専用品であるため、汎用性が低い。
【０００５】
本発明は、携帯型情報端末を座席前方のフロント操作部側に位置決め支持させる位置決め支持手段を備え、該帯型情報端末の視認性を向上させた作業車両の操縦部であって、汎用性の高い位置決め支持手段を、低コストで、設けることができる作業車両の操縦部を提供することを課題とする。
【課題を解決するための手段】
【０００６】
上記課題を解決するため、第１に、携帯型情報端末２１を座席の前方に配置されたフロント操作部１１側に位置決め支持させる位置決め支持手段２２を備えた作業車両の操縦部であって、前記位置決め支持手段２２は、上記フロント操作部１１に一体的に形成されて後方斜め下方に傾斜した載置面２２ｃと、前記載置面２２ｃに平置きされた携帯型情報端末２１の後端側を下支えするように上記フロント操作部１１における該載置面２２ｃの後方位置から一体的に立上げ形成された後方側受け部２２ｂとを有することを特徴としている。
【０００７】
第２に、携帯型情報端末２１を座席の前方に配置されたフロント操作部１１側に位置決め支持させる位置決め支持手段２２を備えた作業車両の操縦部であって、前記位置決め支持手段２２は、上記フロント操作部１１から一体的に立上げ形成され且つ上記携帯型情報端末２１をその前方側から受止めて支持する前方側受け部２２ａと、該前方側受け部２２ａに下面側が支持されて前方斜め上方に傾いた起立姿勢の上記携帯型情報端末２１の後端側を下支えするように、上記フロント操作部１１における前方側受け部２２ａの後方位置から一体的に立上げ形成された後方側受け部２２ｂとを有することを特徴としている。
【０００８】
第３に、前記位置決め支持手段２２は、フロント操作部１１に設置されたモニタ１７の近傍に配置されたことを特徴としている。
【発明の効果】
【０００９】
上記構成によれば、フロント操作部に一体的に形成された載置面及び後方側受け部の組合せか、或いは前方側受け部及び後方側受け部の組合せによって、携帯型情報端末を、視認性が良好な姿勢で、別体の部品を必要とすることなく、低コストで、フロント操作部に位置決め支持できるとともに、載置面及び後方側受け部の組合せか、或いは前方側受け部及び後方側受け部の組合せは、種々の形状の携帯型情報端末を、位置決め支持可能であるため、汎用性も高い。
【００１０】
特に、載置面及び後方側受け部の組合せによる携帯側情報端末の位置決め支持構造によれば、フロント操作部の全面中で、載置面に適した場所を選定すれば、実質的に後方側受け部のみを設ければよいため、構造がさらにシンプルになる。
【００１１】
一方、載置面及び後方側受け部の組合せによる携帯側情報端末の位置決め支持構造によれば、該携帯側情報端末を、シンプルな構造で、起立させ、視認性をより高めることが可能になる。
【００１２】
前記位置決め支持手段は、フロント操作部に設置されたモニタに近傍に配置されたものによれば、モニタと携帯型情報端末との表示を連動させた場合でも、視認性が良好になり、利便性が向上する。
【図面の簡単な説明】
【００１３】
【図１】本発明を実施する対象となる作業車両の一例を示す全体側面図である。
【図２】本発明の第１実施例を示すコンバインの運転席操作パネルの全体斜視図である。
【図３】（Ａ）は上記運転席操作パネルの表示パネル近傍の構造を示す部分斜視図、（Ｂ）は同図のＡ−Ａ断面図である。
【図４】本発明の第２実施例を示すコンバインの運転席操作パネルの全体斜視図である。
【図５】（Ａ）は上記操作パネルの表示パネル近傍の構造を示す部分斜視図、（Ｂ）は同図のＢ−Ｂ断面図である。
【図６】本発明の第３実施例を示すコンバインの運転席操作パネルの全体斜視図である。
【発明を実施するための形態】
【００１４】
以下図示する本発明の実施形態につき説明すると、図１は本発明の適用対象となる作業車両であるコンバインの全体側面図を示し、機体１は、機体フレーム２上に脱穀装置（脱穀部）３を搭載し、該機体フレーム２を、左右一対のクローラ式走行装置（走行部）４によって支持し、この機体１の前方には、穀稈の刈取作業を行って機体１側に搬送する前処理部６が昇降可能に取付けられている。
【００１５】
機体フレーム２上における脱穀部３の右斜め前方には、キャビン７が搭載され、このキャビン６内には、オペレータが乗込む運転席（操縦部）が設置されている。脱穀部３の後方には脱穀済の穀類を排出する排出筒８が上下揺動及び水平回動可能に軸支され、先端側がキャビン７の左側方で下降停止状態で格納される。
【００１６】
上記キャビン７内における座席（図示しない）の前側には、運転席スペース９の前方及び左側を囲むようにフロントパネル１１ａとサイドパネル１１ｂとからなるプラスチック（ＦＲＰ）製の運転席操作パネル（フロント操作部）１１が設置されている（図２参照）。
【００１７】
言換えると、運転席におけるオペレータが着座する座席の前方には、フロントパネル１１ａが位置し、左斜め前方には、サイドパネル１１ｂが位置し、この２つのパネル１１ａ，１１ｂが一体成形されて運転席操作パネル１１を構成している。
【００１８】
サイドパネル１１ｂには主変速レバー及び副変速用のレバー孔１２，１３が前後方向に形成され、その前方左コーナー部には機体１を傾動操作する傾斜操作レバー１４を挿通突出させ、上面側に制御等の関わるボタン操作具やその他の各種操作部等を装着する操作パネル１６を嵌合して取付けている。
【００１９】
ちなみに、傾斜操作レバー１４の前後揺動操作によって、左右の走行部４に対して、機体３全体を昇降させる一方で、左右揺動操作によって、左右の走行部４に対して、機体３を左右傾斜作動させる。この傾斜操作レバー１４は、運転席操作パネル１１側に支持され、操作パネル１６に穿設されたレバー挿通孔１６ａを介して、該操作パネル１６の上面からさらに上方突出している。
【００２０】
フロントパネル１１ａの上面は、やや後方上向きに傾斜した傾斜面を形成しており、タッチ操作パネル及び各種装置の作動状態等を表示する液晶パネルからなる表示パネル（モニタ）１７が上記傾斜面に沿った方向に取付けられ、さらにその右側には前後揺動操作することにより前処理部６を昇降させ、左右揺動することにより走行時の操向操作を行うマルチレバー（図示しない）を挿通支持するレバー挿通窓１８が形成されている。
【００２１】
上記運転席操作パネル１１には、サイドパネル１１ｂの左側縁からフロントパネル１１ａの前側縁を経て表示パネル１７の右側に至る範囲を囲むように断面視山形に突出した縁部（バイザー）１９が一体形成されている。
【００２２】
そして、上記縁部１９のフロントパネル１１ａ側部分における後面（内面）と、表示パネル１７の左右方向中央側部分との間には、スマートフォン等の携帯型情報端末２１（以下単に「端末」と称する）支持する受け部（位置決め支持手段）２２が形成されている。
【００２３】
受け部２２は、運転席から閲覧可能な姿勢（具体的には、前方斜め上方に傾いた姿勢）で、端末２１を支持する構造を有している。
【００２４】
具体的には、前記受け部２２が、上記縁部１９における表示パネル１７の左右方向中央部分の前方に位置する部分である前方側受け部２２ａと、該前方側受け部２２ａの真後ろで且つ平面視で表示パネル１７の前方に位置し且つの表示パネル１７側に所定の左右幅で上記縁部１９と略同様の側断面形状を有するように上記フロントパネル１１ａの上面から一体的に（図示する例では、一体で）立上った左右方向の後方側受け部２２ｂとを有している。
【００２５】
このフロントパネル１１ａに一体的に（具体的には一体で）形成された前後一対の受け部２２ａ，２２ｂの間には、端末２１の厚みよりも若干広い前後幅を有する溝状部分が形成され、該溝状部分の底面が下方側受け部２２ｄを構成している。
【００２６】
そして、表示画面を後方に向けた状態の端末２１を、その下端が下方側受け部２２ｃに接当するまで、上記溝状部分に挿入して収容すると、該端末２１における表示画面側の面（表面）と反対側の面（裏面，下面）側が前方受け部２２ａによって受止め支持されるとともに、該端末２１の下端部（後端部）が後方受け部２２ｂによって受止められ、起立した前傾姿勢で安定的に支持される。
【００２７】
言換えると、端末２１の前傾荷重は裏面において前方側受け部２２ａで当接支持され、端末２１の下端後面は後方側受け部２２ｂの前面に当接支持される。そして、この結果、座席側のオペレータは、運転席操作パネル１１の後方から、上記端末２１の表示面を容易に視認できる。
【００２８】
なお、表示パネル１７の端部近傍に該表示パネル１７に沿って配置された端末２１は、表示パネル１７と表示画面と連動して、その表示内容を制御してもよくし、或いは、端末２１によって、表示パネル１７や、本コンバイン自体を制御可能としてもよく、これを実現するため、端末２１と本コンバイン（さらに具体的には、本コンバインのマイコン）とが通信が可能となるように両者を構成してもよい。
【００２９】
図４及び図５は本発明の第２実施例を示しており、以下、第１実施例と異なる部分を説明する。
【００３０】
本例では、縁部１９の前方側受け部２２ａ部分を、表示パネル１７の左右幅と略同一程度に広くして台形状に形成するとともに、その高さを、後方側受け部２２ｂよりも高く設定し、これによって、端末２１を、起立した立て掛け姿勢で、より安定的に支持することを可能としている。ちなみに、前方側受け部２２ａ部分の上記設定高さは、例えば、標準的な携帯情報端末の長手方向（縦方向）長さの１／２〜３／２（さらに好ましくは、１／２〜２／３）程度の高さとする。
【００３１】
それ以外の構造は、後方側受け部２２ｂが上述した第１実施例と同一構造で同位置に設置され、前記第１実施例のものと共通し、上記以外の共通の符号で示すものは共通の部位、機能部分を表す。
【００３２】
図６は本発明の第３実施例を示しており、以下、第１実施例及び第２実施例と異なる部分を説明する。
【００３３】
本例では、位置決め支持手段２２が、表示パネル１７の前方（正面側）ではなく側方（左サイド）に形成されている。
【００３４】
また、下端側が後方側受け部２２ｂに下支えされて後方斜め下方に傾斜した姿勢の端末２１の裏面（下面）側を支持するものは、上述した第１，２の実施例に示す前方側受け部２２ａではなく、フロントパネル１１ａの上記傾斜面における操作パネル１６と表示パネル１７との間に位置する部分（載置面２２ｃ）になる。
【００３５】
端末２１を、その裏面側が載置面２２ｃに沿うようにして、該載置面２２ｃに平置きすると、該端末２１が倒伏した前傾姿勢で安定的に支持される。
【００３６】
言換えると、本例では、第１，２の実施例と同様に、後方側受け部２２ｂを有する。一方、第１，２の実施例では、後方側受け部２２ｂによって下端側（後端側）が下支えされた端末２１の下面（裏面）側を受止めて支持する下面側支持部として、前方側受け部２２ｂを設けたが、本例では、該下面側支持部として、載置面２２ｃを設け、同様の効果を得ている。
【００３７】
なお、図６に示す実施例の上記以外の部分はすべて前記第１，第２実施例の場合と共通しており、共通の符号は互いに共通の部位、部材を示す。
【００３８】
さらに、このような構成によれば、端末２１の背面の略全体が下方側受け部２２ｃに接触して載置され、さらに左右を操作パネル１６と表示パネル１７で囲まれれば一層安定的に支持されるとともに、端末２１の表示面が、作業機側の表示パネル１７の表示面と同方向で略同一遠近の平面となるので、両者の画面情報の判読が容易になる。
【００３９】
また、フロントパネル１１ａの傾斜上面を、載置面２２ｃとして兼用し、後方側受け部２２ｂ以外に特別な専用部材の設置や形成が不要なのでコスト的に優位である。
【符号の説明】
【００４０】
１１    フロント操作部
１１ａ  フロントパネル
１７    モニタ
１９    縁部（バイザー）
２１    携帯情報端末
２２    位置決め支持手段（受け部）
２２ａ  前方側受け部（下面側支持部）
２２ｂ  後方側受け部
２２ｃ  載置面（下面側支持部）
２２ｄ  下方側受け部
【図１】
2017112948.tif 000003
【図２】
2017112948.tif 000004
【図３】
2017112948.tif 000005
【図４】
2017112948.tif 000006
【図５】
2017112948.tif 000007
【図６】
2017112948.tif 000008